(57)【要約】【課題】釣用の重りで鉛から鉄にする場合、フック取り付け部の細い金属ピンによる作成が非常に難しかった。この発明によれば少ないハンダ量で確実に接合でき、水や海水による鉄部の腐食にもフック取り付け部が長期間影響を受けずに済む構造となった。【解決手段】釣用鉄重り上部にハンダ槽４の様に上部が円錐形の穴を設け、鉄重りを熱してその円錐形の槽にハンダを溜め、フック取り付け部用の金属ピン１を挿入すると確実にハンダ５で覆われた金属ピン１が細い最深部まで挿入できる。又これにより腐食しにくいハンダ面が広く形成する事が出来、腐食しやすい鉄重り３上部表面を守る。ハンダ５が槽に溜まると下部細穴が確認できないが円錐形の槽により金属ピン１を確実に最深部まで挿入できる。【選択図】図１
2011010647.tif 000002
【特許請求の範囲】
【請求項１】
釣用鉄重りの先端にフック掛け部取り付け用の穴を設け、そこにハンダを溜める為の槽を設ける。その形状は金属ピンの導入用にも使用する為に円錐形や円筒円錐形の穴を作成する。
【発明の詳細な説明】
【技術分野】
【０００１】  本発明は、釣りの仕掛けで安価で環境を悪化させない鉄重りに確実にフック掛けを取り付けその周囲を錆びさせない為の技術に関する。
【背景技術】
【０００２】  従来、鉄重りは海水に付けると表面が錆びやすくあまり普及していない。それと共に細く錆びにくい真鍮やステインレスのフック掛けの取り付けが難しく、現在ではフック掛け部分も鋳物の一体成型で作られている為、フック掛け部が太く大きくなり直接フックが掛からない使いづらい物であった。【０００３】  鉄の溶ける温度が高い為、フック取り付け部用に結合させる錆びない金属、真鍮やステインレスも熔けてしまい鉄重り成型時に取り付けが困難である。溶接も細い針金自体が熔けてしまい強度低下を起こす。その為にフック取り付け部も鋳物一体成型で作成するので強度と錆び対策により太くなってしまう。現在フックは錆びにくいステインレスの針金で作られている。重りのフック掛け部が太いと掛からない為、別の太いハリスなどを使って連結させている。
【先行技術文献】
【０００４】  なお、本願発明に関連する公的技術として次の非特許文献１を挙げることができる。
【０００５】
【非特許文献１】  ｈｔｔｐ：／／ｆｉｓｈｉｎｇ−ｆｕｊｉｗａｒａ．ｃｏｍ／ｅｃｏ／ｉｎｄｅｘ．ｈｔｍｌ
【発明の概要】
【発明が解決しようとする課題】
【０００６】  上記の如く、鋳鉄製の重りではフック取り付け部が太くなり、フックに直接取り付けることができない為とても使いづらい。【０００７】  鉄重りの場合、溶接やハンダ付けは錆の発生で腐食による鉄重りとフック取り付け部の接合部が侵され離脱する可能性が有る。又、高温でのフック取り付け部の装着はフック取り付け部に使う金属を溶かしたり、強度低下させる。
【課題を解決するための手段】
【０００８】  本発明は、このような点に鑑みて成されたものであり、ハンダによる鉄重りとフック取り付け部の強固で長期間接合を保つ為の構造となることを特徴とする。【０００９】  上述の目的を達成する本発明の構造はフック取り付け部に使う金属ピンを挿入する穴の上部に円錐形の穴を設け、鉄を熱した時にハンダが溜まる槽を設ける。鉄が熱せられている為ハンダはすぐに固まらず穴奥へとピンの挿入を可能とする。その際ハンダも穴奥へと侵入し金属ピンと鉄重りを確りと接合する。又、腐食しにくいハンダの金属が円錐状に広く深く存在する為、鉄部表面が錆たとしても中まで腐食するには相当の年月を要する構造となる。又、円錐状の穴はハンダで満たされ竪穴が見えない状況に於いても金属ピンを間違い無く縦穴に導く構造となっている為、短時間に正確な金属ピンの挿入が可能となる。【００１０】  穴の直径は金属ピンの太さよりも大きくして、ハンダが適当量入り込めるように調節する。円錐形の大きさも重りの重量に比例してハンダ量を確保できるように、金属ピンの太さ長さを考慮して決める。
【発明の効果】
【００１１】  以上説明したように本発明によれば、鉄の重りとフック取り付け部に使う金属ピンを確実にハンダ付けすることが出来る。加熱した鉄重りの上部円錐形の穴にハンダを溶かし込み金属ピンを差し込むと、穴の奥までハンダが浸透する事と、円錐形の穴がピンを素早く穴奥まで導く為である。又、海水などの水分、塩分で一番錆びやすい最上部が大きくハンダの金属で覆われる事と、鉄とハンダの接合部が広くなる事で腐食に対する強度が増す。
【図面の簡単な説明】
【００１２】
【図１】  本発明の第１の実施の形態に係る釣用鉄重りの外観斜視図である。
【図２】  フック取り付け部用の穴に円錐状の穴を設けた図である。
【図３】  鉄を熱し、円錐状のハンダ槽にハンダを熔かしこんだ図である。
【図４】  金属ピンが円錐形に導かれ中央の穴に入る図である。
【図５】  金属ピンが穴に確りと装着され、ハンダで覆われる図である。
【図６】  大きい鉄重り用にハンダ量を多くする場合の槽の図である。
【発明を実施するための形態】
【００１３】  以下、本発明の実施の形態を図面に基づき詳細に説明する。
【００１４】  図１〜図６は本発明の実施の携帯に係り図１は重り俯瞰図、図２は円錐穴の図、図３は鉄重りを加熱しハンダを熔かし込んだ図、図４はフック取り付く部にする金属ピンを挿入する図、図５は円錐形に導かれて金属ピンが正しい位置に挿入された図、図６はハンダ量を多くする為の円筒円錐形の穴の図。
【００１５】  図１は釣用鉄重りにフック掛け部を取り付けた俯瞰図。
【００１６】  図２に示したように穴の先端部を大きくし円錐状の穴を作成してハンダが溜まるように槽を設ける。
【００１７】  図３は鉄重りを加熱し、円錐状の槽にハンダを熔かし込んだ図
【００１８】  図４は金属ピンが中央の穴に導かれ挿入されるところの図。
【００１９】  図５は金属ピンが確りと中央部の穴に入り、ハンダと共に固定される図。
【００２０】  図６は重りの重量や金属ピンの太さによりハンダの量を多くする為、円柱円錐形にしたハンダ槽の図。
【実施例】
【００２１】  鉄重り３は例えば、直径２５ｍｍ×１３０ｍｍの円柱で釣用語では１２０号と呼ばれる。下は１号から４００号以上まで有り１号あたり３．７ｇ位の計算で有る。この方式で製作を考えているのは８０号、１００号、１２０号、１８０号、２００号、２５０号、３００号、３５０号、４００号、５００号を計画している。重り本体は鉄、フック取り付け部は真鍮かステインレスとする。【００２２】  以上、本発明の実施の形態及び実施例を説明してきたが、本発明を基に色々な展開が可能である。ハンダ槽及びピン穴を大きくし太目の金属ピンを使用すれば強度が増す。
【産業上の利用可能性】
【００２３】  本発明は釣具店や漁業用に釣り道具を製造販売する産業分野で利用する事ができる。
【符号の説明】
【００２４】１          金属ピン
２          ハンダ槽上部面
３          鉄重り
４          ハンダ槽断面
５          熔けたハンダ
６          ハンダコイル
【図１】
2011010647.tif 000003
【図２】
2011010647.tif 000004
【図３】
2011010647.tif 000005
【図４】
2011010647.tif 000006
【図５】
2011010647.tif 000007
【図６】
2011010647.tif 000008